(57)【要約】【課題】安価な構成により、正確に扉の開放を検出する。【解決手段】フリップフロップ回路ＦＦ１は、リセット信号により所定のデータとしてＨｉの信号を記憶する。補助電源Ｖ0は、扉が開放されたことが検出されて開放検出スイッチＳＷ１がＯＮにされる場合、フリップフロップ回路ＦＦ１のクロック信号入力端子にパルス信号を入力し、接地されているデータ入力端子にＬｏｗ信号を入力することにより記憶された所定のＨｉのデータを、Ｌｏｗのデータに更新する。制御部４の開放判定部４ｂは、フリップフロップ回路ＦＦ１に記憶されたＨｉのデータが記憶されているか否かにより扉の開放が検出されたか否かを判定する。本発明は、監視システムに適用することができる。【選択図】図１
2008272190.tif 000002
【特許請求の範囲】
【請求項１】
所定のデータを記憶する記憶手段と、
扉の開放を検出し、前記扉の開放が検出された場合、前記記憶手段により記憶された前記所定のデータを、前記所定のデータとは異なる他の所定のデータに更新する更新手段と
を含む扉開放検出装置。
【請求項２】
所定のパターンの信号が入力されることにより、前記記憶手段に前記所定のデータを記憶させるリセット手段をさらに含む
請求項１に記載の扉開放検出装置。
【請求項３】
主電源が停止されるとき投入される補助電源をさらに含み、
前記記憶手段は、主電源が停止され、補助電源に切り替わるとき、前記所定のデータを記憶する
請求項１または２に記載の扉開放検出装置。
【請求項４】
主電源よりも電圧の低い補助電源をさらに含み、
前記補助電源とダイオードとが順方向に接続されて、前記記憶手段に電力を供給し、
直列に接続されている前記補助電源と前記ダイオードとに対して、並列に前記主電源が接続されている
請求項１または２に記載の扉開放検出装置。
【請求項５】
直列に接続されている前記補助電源と前記ダイオードとに対して、並列に前記主電源と前記ダイオードとは異なる他のダイオードが順方向に接続されている
請求項４に記載の扉開放検出装置。
【請求項６】
前記記憶手段により記憶される前記所定のデータを記憶、または、読み出す信号線を接続、または、切断する切替手段をさらに含み、
前記主電源からの電力供給が停止している場合、前記切替手段は、前記信号線を切断する
請求項１に記載の扉開放検出装置。
【請求項７】
前記記憶手段は、D型フリップフロップである
請求項１に記載の扉開放検出装置。
【請求項８】
前記更新手段は、接点スイッチ、近接スイッチ、光学スイッチ、または磁気スイッチを含む
請求項１に記載の扉開放検出装置。
【請求項９】
前記記憶手段により前記所定のデータが記憶されているか否かにより前記扉の開放が検出されたか否かを判定する判定手段をさらに含む
請求項１に記載の扉開放検出装置。
【請求項１０】
所定のデータを記憶する記憶ステップと、
扉の開放を検出し、前記扉の開放が検出された場合、前記記憶ステップの処理により記憶された前記所定のデータを、前記所定のデータとは異なる他の所定のデータに更新する更新ステップと
を含む扉開放検出方法。
【請求項１１】
請求項１に記載の扉開放検出装置を含む遊技機。
【発明の詳細な説明】
【技術分野】
【０００１】
本発明は、扉開放検出装置および方法に関し、特に、安価な構成により、遊技機の扉の不正な開放を確実に検出できるようにした扉開放検出装置および方法に関する。
【背景技術】
【０００２】
遊技店において、閉店後の遊技機の不正改造防止が課題となっており、遊技機の電源遮断後に扉の開放を監視する機能が求められている。
【０００３】
現状において、遊技機単体には扉開閉検出機能は搭載されているものの、遊技機の電源供給時しか動作しないものが一般的である。
【０００４】
そこで、予め充電されたコンデンサの電荷を扉が開放された際に放電することで、無電源期間中の扉開放を検出する手段が提案されている（特許文献１参照）。
【０００５】
また、遊技店の設備として、扉開閉検出機能の開閉信号を直接ホールコンピュータに送信する構成や、カバー開閉信号をコントローラに記憶し報知・動作停止処理をする構成などが提案されている（特許文献２，３参照）。
【０００６】
また最近では、遊技機本体にバッテリと開閉検出機能を設けるようにさせ、常に開閉時刻などの履歴を記録し、履歴データをホールコンピュータと通信する構成も提案されている（特許文献４参照）。これは、製品出荷時から常時一定時間毎に開閉状態を検出、記録し、かつ監視ユニットが固有IDを持つことで不正交換を防止するものである。
【０００７】
【特許文献１】特開２００１−３４０５９５号公報
【特許文献２】特開２００１−００９１３７号公報
【特許文献３】特開２００５−２１８５９７号公報
【特許文献４】特開２００３−１５９４６６号公報
【発明の開示】
【発明が解決しようとする課題】
【０００８】
しかしながら、上述した特許文献１に記載の技術においては、扉開放によりコンデンサの電荷を放電した後に、外部電源を用いてコンデンサに再充電することで容易に元の状態に復帰させることができ、扉の不正な開放があったことを示す痕跡が残らない恐れがある。
【０００９】
また、特許文献２に記載の技術においては、扉開閉信号をホールコンピュータに送信する場合、閉店後もホールコンピュータを稼動させておく必要があり、開閉検出機能を実現する配線が短絡されるなどにより、容易に機能が無効化される恐れがある。
【００１０】
さらに、特許文献３に記載の技術においては、扉開閉信号の記憶する機構としてラッチ回路が利用されているが、外部からクリア信号が入力されることで、容易に記憶内容が変更され、元の状態に復帰させられてしまい、扉の不正な開放があったことを示す痕跡が残らない恐れがある。
【００１１】
また、特許文献４に記載の技術においては、バッテリを用いて開閉履歴を記憶する構成であるため、複雑な処理を実行するための演算装置や、プログラムおよび履歴データを保存するための大容量の記憶機構が必要になるため高価となる恐れがある。また、処理の多くを遊技店の全体を管理する演算処理装置に頼る構成となるため、やはり、コスト高となる恐れがある。
【００１２】
本発明はこのような状況に鑑みてなされたものであり、例えば、電源の投入を停止した後、遊技機の扉の開放を検出し、検出結果を保持すると共に、保持された検出結果を不正に操作できないようにすることで、安価で、かつ、確実に扉の開放を検出できるようにするものである。
【課題を解決するための手段】
【００１３】
本発明の一側面の扉開放検出装置は、所定のデータを記憶する記憶手段と、扉の開放を検出し、前記扉の開放が検出された場合、前記記憶手段により記憶された前記所定のデータを、前記所定のデータとは異なる他の所定のデータに更新する更新手段とを含む。
【００１４】
所定のパターンの信号が入力されることにより、前記記憶手段に前記所定のデータを記憶させるリセット手段をさらに含ませるようにすることができる。
【００１５】
主電源が停止されるとき投入される補助電源をさらに含ませるようにすることができ、前記記憶手段には、主電源が停止され、補助電源に切り替わるとき、前記所定のデータを記憶させるようにすることができる。
【００１６】
主電源よりも電圧の低い補助電源をさらに含ませるようにすることができ、前記補助電源とダイオードとが順方向に接続されて、前記記憶手段に電力を供給させ、直列に接続されている前記補助電源と前記ダイオードとに対して、並列に主電源が接続されるようにすることができる。
【００１７】
直列に接続されている前記補助電源と前記ダイオードとに対して、並列に主電源と前記ダイオードとは異なる他のダイオードが順方向に接続されるようにすることができる。
【００１８】
前記記憶手段により記憶される前記所定のデータを記憶、または、読み出す信号線を接続、または、切断する切替手段をさらに含ませるようにすることができ、前記主電源からの電力供給が停止している場合、前記切替手段には、前記信号線を切断させるようにすることができる。
【００１９】
前記記憶手段は、D型フリップフロップとすることができる。
【００２０】
前記更新手段には、接点スイッチ、近接スイッチ、光学スイッチ、または磁気スイッチを含ませるようにすることができる。
【００２１】
前記記憶手段により前記所定のデータが記憶されているか否かにより前記扉の開放が検出されたか否かを判定する判定手段をさらに含ませるようにすることができる。
【００２２】
本発明の一側面の扉開放検出方法は、所定のデータを記憶する記憶ステップと、扉の開放を検出し、前記扉の開放が検出された場合、前記記憶ステップの処理により記憶された前記所定のデータを、前記所定のデータとは異なる他の所定のデータに更新する更新ステップとを含む。
【００２３】
本発明の遊技機には、請求項１に記載の扉開放検出装置を含ませるようにすることができる。
【００２４】
本発明の一側面の扉開放検出装置および方法においては、所定のデータが記憶され、扉の開放が検出され、前記扉の開放が検出された場合、記憶された前記所定のデータが、前記所定のデータとは異なる他の所定のデータに更新される。
【００２５】
本発明の一側面の扉開放検出装置における、所定のデータを記憶する記憶手段とは、例えば、フリップフロップ回路であり、扉の開放を検出し、前記扉の開放が検出された場合、前記記憶手段により記憶された前記所定のデータを、前記所定のデータとは異なる他の所定のデータに更新する更新手段とは、例えば、開放検出スイッチである。
【００２６】
すなわち、遊技機電源部からの電力供給が停止する直前のタイミングで、フリップフロップ回路が、所定のデータを記憶し、前記扉の開放が検出された場合、開放検出スイッチによりフリップフロップ回路にクロック信号を供給することで、記憶された前記所定のデータが、前記所定のデータとは異なる他の所定のデータに更新される。このため、制御部の開放判定部は、遊技機電源部から電源供給が開始されるタイミングで、フリップフロップ回路により記憶された前記所定のデータが記憶されていれば、扉の開放が検出されておらず、前記所定のデータとは異なる他の所定のデータに更新されていれば、扉の開放が検出されたものと判断する。
【００２７】
これにより、遊技機の電源供給が停止してから次に電源が供給されるまでの間に、不正に扉が開放されると、フリップフロップ回路には、所定のデータとは異なる他の所定のデータに更新されることになるので、電源供給が停止している間に、何らかの理由により扉の開放が検出されたことを認識することができる。
【００２８】
結果として、電源の投入を停止した後、遊技機の扉の開放を検出し、検出結果が不正に操作できないので、安価で、かつ、確実に扉の開放を検出することが可能となる。
【発明の効果】
【００２９】
本発明によれば、安価で、かつ、確実に扉の開放を検出することが可能となる。
【発明を実施するための最良の形態】
【００３０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３１】
すなわち、本発明の一側面の扉開放検出装置は、所定のデータを記憶する記憶手段（例えば、図１のフリップフロップ回路ＦＦ１）と、扉の開放を検出し、前記扉の開放が検出された場合、前記記憶手段により記憶された前記所定のデータを、前記所定のデータとは異なる他の所定のデータに更新する更新手段（例えば、図１の開放検出スイッチＳＷ１）とを含む。
【００３２】
所定のパターンの信号が入力されることにより、前記記憶手段に前記所定のデータを記憶させるリセット手段（例えば、図１の制御部４のリセット管理部４ａ）をさらに含ませるようにすることができる。
【００３３】
主電源（例えば、図１の遊技機電源部Ｖ5）が停止されるとき投入される補助電源（例えば、図１の補助電源Ｖ0）をさらに含ませるようにすることができ、前記記憶手段（例えば、図１のフリップフロップ回路ＦＦ１）には、主電源が停止され、補助電源に切り替わるとき、前記所定のデータを記憶させるようにすることができる。
【００３４】
主電源（例えば、図１の遊技機電源部Ｖ5）よりも電圧の低い補助電源（例えば、図１の補助電源Ｖ0）をさらに含ませるようにすることができ、前記補助電源とダイオード（例えば、図１のダイオードＤ１）とが順方向に接続されて、前記記憶手段に電力を供給させ、直列に接続されている前記補助電源と前記ダイオードとに対して、並列に主電源が接続されるようにすることができる。
【００３５】
直列に接続されている前記補助電源と前記ダイオードとに対して、並列に主電源と前記ダイオードとは異なる他のダイオード（例えば、図１のダイオードＤ２）が順方向に接続されるようにすることができる。
【００３６】
前記記憶手段により記憶される前記所定のデータを記憶、または、読み出す信号線を接続、または、切断する切替手段（例えば、図１４のスイッチＳＷ１１，ＳＷ１２）をさらに含ませるようにすることができ、前記主電源からの電力供給が停止している場合、前記切替手段には、前記信号線を切断させるようにすることができる。
【００３７】
前記記憶手段（例えば、図１のフリップフロップ回路ＦＦ１）は、D型フリップフロップとすることができる。
【００３８】
前記更新手段（例えば、図１の開放検出スイッチＳＷ１）には、接点スイッチ、近接スイッチ、光学スイッチ、または磁気スイッチを含ませるようにすることができる。
【００３９】
前記記憶手段により前記所定のデータが記憶されているか否かにより前記扉の開放が検出されたか否かを判定する判定手段（例えば、図１の制御部４の開放判定部４ｂ）をさらに含ませるようにすることができる。
【００４０】
本発明の一側面の扉開放検出方法は、所定のデータを記憶する記憶ステップ（例えば、図２のステップＳ２）と、扉の開放を検出し、前記扉の開放が検出された場合、前記記憶ステップの処理により記憶された前記所定のデータを、前記所定のデータとは異なる他の所定のデータに更新する更新ステップ（例えば、図２のステップＳ４）とを含む。
【００４１】
図１は、本発明に係る正面扉の開放を検出する扉開放検出部を備えた遊技機の一実施の形態の構成を示す図である。
【００４２】
遊技機には、扉開放検出部１、コネクタ２，３、制御部４、遊技機電源部５、交流電源６、および、発報部７が備えられている。
【００４３】
扉開放検出部１は、遊技機の主電源である遊技機電源部５より電力供給が停止する直前に制御部４より入力される所定のデータを記憶し、図示せぬ遊技機の正面扉の開放を監視する監視状態に入る。そして、扉開放検出部１は、遊技機電源部５から電力供給が開始されるまで、図示せぬ遊技機の正面扉の開放を検出するとき、所定のデータとは異なる他の所定のデータに更新する。そして、遊技機電源部５より電源が投入されるとき、制御部４は、扉開放検出部１が、所定のデータを記憶しているか、または、他の所定のデータを記憶しているかに基づいて、正面扉の開放の検出の有無を判定する。
【００４４】
コネクタ２，３は、扉開放検出部１を遊技機より単独で組み付け、または取り外せるように設けられた、相互に凹凸形状からなる接続端子である。また、コネクタ２，３は、図１の上から遊技機電源部５より扉開放検出部１に供給されてくる電力供給線、制御部４のリセット端子ＲＥＳより扉開放検出部１に入力されるリセット信号を伝送するリセット信号線、扉開放検出部１に記憶している開放検出信号を伝送する開放検出信号線、および接地部分に接続されている接地線をそれぞれ接続している。
【００４５】
制御部４は、交流電源６からの交流電源を直流電源に変換する遊技機電源部５より供給される直流の電力により動作し、遊技機の動作の全体を管理すると共に、扉開放検出部１の動作を制御する。また、制御部４は、使用者により図示せぬ操作部が操作されてスイッチＳＷ２がＯＦＦにされると、電力供給が完全に停止するまでの時間に（約0.1秒程度の間に）、各種のデータを図示せぬ不揮発性のメモリに記憶させると共に、リセット管理部４ａを制御して、リセット端子ＲＥＳよりリセット信号を扉開放検出部１に入力させる。また、制御部４は、スイッチＳＷ２がＯＮに操作されると、開放判定部４ｂを制御して、端子ＶINに入力される扉開放検出部１からの開放検出信号を受信させると共に、受信した開放検出信号に基づいて、電源供給が停止されている間に、図示せぬ遊技機の正面扉が開放されているか否か、すなわち、不正開放が検出されたか否かを判定させて、判定結果に対応して発報部７を動作させ、不正な扉の開放があったことを発報させる。
【００４６】
遊技機電源部５は、交流電源６より供給される交流電源を遊技機で使用可能な直流電源に変換し、扉開放検出部１および制御部４に供給する。遊技機で使用可能な電力の電圧としては、例えば、５Ｖである。以降においては、５Ｖであるものとして説明を進めるが、当然のことながらそれ以外の電圧でもよい。
【００４７】
次に、扉開放検出部１の構成例について説明する。扉開放検出部１は、フリップフロップ回路ＦＦ１、ダイオードＤ１，Ｄ２、抵抗Ｒ１、補助電源Ｖ0、および扉開放検出スイッチＳＷ１から構成されている。
【００４８】
フリップフロップ回路ＦＦ１は、Ｄ型フリップフロップ回路であり、電源端子Ｖｃｃ、プリセット端子ＰＲＥ、データ入力端子Ｄ、クロック信号入力端子ＣＫ、クリア端子ＣＬＲ、グランド端子ＧＮＤ、正出力端子Ｑ、および負出力端子Ｑ’（図１中においては、Ｑの上部にバーが表記されているが、本明細書中においては、表示の都合上「Ｑ’」と称するものとする）が設けられている。
【００４９】
フリップフロップ回路ＦＦ１は、電源端子Ｖｃｃに供給される電力により駆動し、クロック信号入力端子ＣＫに入力されるクロック信号が立ち下がるタイミングでデータ入力端子Ｄに入力される信号を保持し、同一の信号を正出力端子Ｑより出力し、負信号を負出力端子より出力する。すなわち、クロック信号入力端子ＣＫにクロック信号が立ち下がるタイミングで、データ入力端子ＤにＨｉのデータが入力されると、フリップフロップ回路ＦＦ１は、データであるＨｉを保持して、正出力端子Ｑより同一のＨｉの信号を、負出力端子Ｑ’よりＨｉの負信号であるＬｏｗを出力する。逆に、クロック信号入力端子ＣＫにクロック信号が立ち下がるタイミングで、データ入力端子ＤにＬｏｗのデータが入力されると、フリップフロップ回路ＦＦ１は、データであるＬｏｗを保持して、正出力端子Ｑより同一のＬｏｗの信号を、負出力端子Ｑ’よりＬｏｗの負信号であるＨｉを出力する。
【００５０】
また、フリップフロップ回路ＦＦ１は、プリセット端子ＰＲＥにＨｉの信号が入力されると、クロック信号入力端子ＣＫに入力される信号とは無関係に、正出力端子Ｑは強制的にＨｉを保持する。また、フリップフロップ回路ＦＦ１は、クリア端子ＣＬＲにＨｉの信号が入力されると、クロック信号入力端子ＣＫに入力される信号とは無関係に入力された信号により正出力端子Ｑは強制的にＬｏｗを保持する。
【００５１】
すなわち、Ｄ型のフリップフロップ回路ＦＦ１は、１ビットのデータを記憶するメモリとして機能している。
【００５２】
ダイオードＤ１は、補助電源Ｖ0の正端子からみてフリップフロップ回路ＦＦ１の電源端子Ｖｃｃの方向に対して順方向に設けられており、遊技機電源部５より電力が供給されている場合、電力の逆流を防止する。
【００５３】
ダイオードＤ２は、遊技機電源部５からみてフリップフロップ回路ＦＦ１の電源端子Ｖｃｃの方向に対して順方向に設けられており、遊技機電源部５より電力供給が停止され、かつ、補助電源Ｖ0より電力が供給されている場合、遊技機電源部５の電位は不定となり、補助電源Ｖ0より供給される電力の逆流を防止するため、コネクタ２の電力供給線と接地線を不正に強制短絡させることによってフリップフロップ回路ＦＦ１のＶｃｃとＧＮＤとを短絡し、リセット動作をさせる行為を防止する。
【００５４】
また、補助電源Ｖ0と遊技機電源部５の出力電圧Ｖ5とは、以下の式（１）の関係が満たされる関係となっている。
【００５５】
Ｖ0−Ｖｄ１＜Ｖ5−Ｖｄ２
・・・（１）
【００５６】
ここで、Ｖ0は、補助電源Ｖ0の電源電圧であり、Ｖｄ２は、ダイオードＤ２の順方向電圧であり、Ｖ5は、遊技機電源部５より供給される電源電圧であり、Ｖｄ１は、ダイオードＤ１の順方向電圧である。従って、遊技機電源部５より電力供給があるとき、電源端子Ｖｃｃには、（Ｖ5−Ｖｄ２）で示される電圧が印加され、遊技機電源部５からの電力供給がなくなると補助電源Ｖ0より（Ｖ0−Ｖｄ１）で示される電圧が印加される。
【００５７】
抵抗Ｒ１は、一方の端部が電源端子Ｖｃｃと同電位に接続され、他方の端部がクロック信号入力端子ＣＫに接続されており、クロック信号入力端子ＣＫに入力される電圧を調整する。
【００５８】
扉開放検出スイッチＳＷ１は、接点スイッチ、近接スイッチ、光学スイッチ、または磁気スイッチなどから構成されるスイッチであり、図示せぬ遊技機の正面に設けられた扉の開放を検出するとＯＮにされ、それ以外の場合、すなわち、扉が閉じられている通常状態においては、ＯＦＦに設定されるスイッチである。
【００５９】
次に、図２のフローチャートを参照して、図１の扉開放検出部１を備えた遊技機による扉開放検出処理について説明する。
【００６０】
ステップＳ１において、制御部４は、遊技機電源部５を介して供給されてくる自らの電源端子Ｖｄｄの電圧を検出し、遊技機本体の電源であるスイッチＳＷ２がＯＦＦにされたか否かを判定する。すなわち、制御部４は、電源端子Ｖｄｄの電圧が、遊技機電源部５を介して供給されてくる電圧Ｖ5が５Ｖ（定格電圧）に準ずる所定の閾値Ｖｔｈよりも大きいか否かを判定し、大きい場合、遊技機本体の電源がＯＦＦにされていないとみなし、同様の処理を繰り返す。ステップＳ１において、例えば、図３の最上段の波形図で示されるように、時刻ｔ１にてスイッチＳＷ２がＯＦＦに操作されることにより、電圧が降下し、時刻ｔ２にて電圧Ｖ5が、所定の閾値Ｖｔｈよりも小さいと判定された場合、スイッチＳＷ２がＯＦＦにされたものとみなし、処理はステップＳ２に進む。
【００６１】
尚、遊技機電源部５は、交流電源６より供給される電力を５Ｖ程度の電圧に変換して扉開放検出部１および制御部４に供給しており、変換処理に係る時間があるため、スイッチＳＷ２がＯＦＦにされても、図３の最上段の波形図で示されるように、緩やかに電圧が降下していく。また、図３においては、最上段の波形図が遊技機電源部５の供給電圧Ｖ5の、２段目の波形図が電源端子Ｖｃｃに供給される印加電圧Ｖ1の、３段目の波形図がプリセット端子ＰＲＥの印加電圧Ｖ2の、４段目の波形図がクロック信号入力端子ＣＫの印加電圧Ｖ3の、５段目の波形図が正出力端子Ｑの出力電圧Ｖ4のそれぞれの時系列の電位変化を示している。
【００６２】
ステップＳ２において、制御部４は、リセット管理部４ａを制御して、リセット端子ＲＥＳより扉開放検出部１に対して、図３の３段目の波形図における時刻ｔ２で示されるように、プリセット端子ＰＲＥの印加電圧Ｖ２のパルス状のリセット信号を出力させる。この処理により、プリセット端子ＰＲＥにリセット信号が入力されるので、図３の５段目の波形図で示されるように、フリップフロップ回路ＦＦ１は、強制的にＬｏｗからＨｉに切り替えてデータを保持して正出力端子Ｑより出力する。尚、図３の３段目の波形図における時刻ｔ２からのパルス状の波形は、遊技機電源部５より供給されてくる電圧の降下に伴って波形の上部の電圧も降下している。
【００６３】
この処理以降、遊技機電源部５より供給されてくる電源電圧Ｖ5は、さらに降下する。そして、電源電圧Ｖ5が、さらに降下すると、電源端子Ｖｃｃの電圧Ｖ1は、図３の２段目の波形図で示されるように、時刻ｔ３において、補助電源Ｖ0により供給される電圧Ｖ0よりダイオードＤ１の電圧分だけ降下した電圧Ｖｃで安定する。これに対応して、図３の４，５段目の波形図で示されるように、クロック信号入力端子ＣＫの電圧Ｖ3、および正出力端子Ｑの出力電圧Ｖ4は、時刻ｔ３において、電圧Ｖｃに対応して電圧降下が停止される。すなわち、時刻ｔ３以降においては、フリップフロップ回路ＦＦ１は、自らの駆動電源を遊技機電源部５の電力供給から、補助電源Ｖ0の電力供給に切り替えている。
【００６４】
ステップＳ３において、遊技機の正面扉が開放されて、スイッチＳＷ１がＯＮの状態にされたか否かが判定され、例えば、扉が開放されず、スイッチＳＷ１がＯＦＦの状態である場合、ステップＳ５に進む。
【００６５】
ステップＳ５において、制御部４は、遊技機電源部５を介して供給されてくる自らの電源端子Ｖｄｄの電圧を検出し、遊技機本体の電源であるスイッチＳＷ２がＯＮにされたか否かを判定する。すなわち、制御部４は、電源端子Ｖｄｄの電圧が、遊技機電源部５を介して供給されてくる電圧Ｖ5が５Ｖ（定格電圧）に準ずる所定の閾値Ｖｔｈよりも大きいか否かを判定し、小さい場合、遊技機本体の電源がＯＦＦのままにされているとみなし、処理は、ステップＳ３に戻る。すなわち、電源がＯＮにされたと判定されるまで、ステップＳ３乃至Ｓ５の処理が繰り返される。
【００６６】
そして、ステップＳ５において、例えば、図３の最上段の波形図で示されるように、スイッチＳＷ２がＯＮに操作されることにより、電圧が上昇し、時刻ｔ４にて電圧Ｖ5が、所定の閾値Ｖｔｈよりも大きくなった場合、スイッチＳＷ２がＯＮにされたものとみなし、処理はステップＳ６に進む。
【００６７】
ステップＳ６において、制御部４は、開放判定部４ｂを制御して、端子ＶINに入力される扉開放検出部１からの開放検出信号を受信させると共に、受信した開放検出信号が電源ＯＦＦ直後になされたステップＳ２の処理でフリップフロップ回路ＦＦ１に強制的に記憶されている信号であるか否かを判定する。すなわち、ステップＳ２の処理により、フリップフロップ回路ＦＦ１には、Ｈｉの信号が記憶されていたので、開放判定部４ｂは、端子ＶINに入力される扉開放検出部１からの開放検出信号がＨｉのままであれば、開放検出信号は、扉の開放を検出したことを示す扉開放信号ではないので、処理は、ステップＳ１に戻る。
【００６８】
一方、ステップＳ３において、例えば、図示せぬ遊技機の正面扉が開放されて、スイッチＳＷ１がＯＮの状態となった場合、ステップＳ４において、図４の４段目の波形図における時刻ｔ５で示されるように、クロック信号入力端子ＣＫへの印加電圧Ｖ3が立ち下がり信号となるため、フリップフロップ回路ＦＦ１は、データ入力端子Ｄに入力されているＬｏｗの信号を保持することにより、扉の開放を検出したことを示すＬｏｗの信号に更新し、図４の５段目の波形図で示されるように、時刻ｔ５以降において、正出力端子ＱよりＬｏｗの信号を出力する。
【００６９】
この結果、ステップＳ６において、フリップフロップ回路ＦＦ１には、Ｌｏｗの信号が記憶されているので、開放判定部４ｂは、端子ＶINに入力されてくる扉開放検出部１からの開放検出信号がＬｏｗであって、扉が開放されたことが記憶されているので、扉の開放が検出されたことを示す扉開放信号とみなし、処理は、ステップＳ７に進む。尚、図４の最上段乃至５段目までの波形図は、図３と同様の電圧の波形を示しているが、時刻ｔ５において、正面扉が開放された場合の波形である。
【００７０】
ステップＳ７において、制御部４は、発報部７を制御して、遊技機電源部５からの電力供給が停止された後、不正に遊技機の正面扉が開放されたことが検出されたことを発報させる。
【００７１】
ステップＳ８において、制御部４は、図示せぬ操作部が操作されて発報部７の動作の停止が指示されたか否かを判定し、指示されていない場合、同様の処理を繰り返す。すなわち、発報動作の停止が指示されるまで、処理が繰り返されて、発報が継続される。そして、ステップＳ８において、発報動作の停止が指示された場合、制御部４は、発報動作を停止させて、処理は、ステップＳ１に戻り、それ以降の処理が繰り返される。
【００７２】
以上の処理により、遊技機電源部５からの電力供給を停止させると、扉開放検出部１のフリップフロップ回路ＦＦ１は、補助電源Ｖ0により駆動し、制御部４からのリセット信号により強制的にＨｉの状態を保持したまま、図３または図４で示されるように、時刻ｔ２乃至ｔ４で監視状態となる。そして、監視状態において、遊技機の正面扉が不正に開放されることによりスイッチＳＷ１がＯＮにされると、フリップフロップ回路ＦＦ１のクロック信号入力端子ＣＫの立ち下がり信号が供給されるので、フリップフロップ回路ＦＦ１は、データ入力端子Ｄに入力されているＬｏｗの信号に基づいて、Ｌｏｗの信号を保持して正出力端子Ｑより出力する。
【００７３】
このため、スイッチＳＷ２がＯＮにされて、遊技機電源部５が駆動すると、制御部４の開放判定部４ｂは、扉開放検出部１のフリップフロップ回路ＦＦ１の正出力端子Ｑより出力される扉開放検出信号がＨｉであれば、正面扉の開放が検出されていないものとみなし、逆に、扉開放検出信号がＬｏｗであれば、正面扉の不正な開放が検出されたものとみなす。
【００７４】
以上の処理が実現することにより、遊技店において、一日の営業が終了して、遊技機の電源がＯＦＦにされると、直後に扉開放検出部１のフリップフロップ回路ＦＦ１にＨｉのデータが記憶されるが、翌日の営業開始前までに不正な正面扉の開放がなされると、扉開放検出部１のフリップフロップ回路ＦＦ１にＬｏｗのデータが記憶されることになる。このため、翌日、電源ＯＮにされた直後の処理により、フリップフロップ回路ＦＦ１に記憶されているＬｏｗのデータが前日の営業終了直後に記憶されているＨｉのデータとは異なるものとなるので、遊技機の正面扉の不正な開放が検出されたことを示す痕跡が残ることとなり、不正な正面扉の開放の有無を簡単な回路により、確実に検出することが可能となる。
【００７５】
さらに、遊技機電源部５が駆動している期間にも監視動作を継続する場合、扉開放を検出し、扉開放信号が記憶される毎にリセット管理部４ａによりリセット信号を送信すれば再度監視動作に復帰させることが可能である。この動作を繰り返すことで、常に扉開放を監視することができる。
【００７６】
結果として、フリップフロップ回路を用いた簡単な扉開放検出部１により、安価で、かつ、確実に扉の開放を検出することが可能となる。
【００７７】
以上においては、正出力端子Ｑからの出力信号に基づいて、不正な正面扉の開放の有無を判定するようにしていたが、負出力端子Ｑ’からの出力信号をさらに用いるようにして、検出結果の判定精度を向上させるようにしても良い。
【００７８】
図５は、負出力端子Ｑ’からの出力信号をさらに用いるようにして、検出結果の判定精度を向上させるようにした扉開放検出部１１の構成例を示している。尚、図５においては、図１と同一の機能を備えた構成については、同一の符号を付しており、その説明は適宜省略するものとする。
【００７９】
すなわち、図５の扉開放検出部１１において、図１の扉開放検出部１と異なる点は、フリップフロップ回路ＦＦ１の負出力端子Ｑ’の出力信号を制御部１４に入力している点である。また、これに対応して、制御部４に代えて制御部１４が設けられている。制御部１４は、リセット管理部１４ａおよび開放判定部１４ｂを備えており、開放判定部１４ｂの機能を除いては制御部４と同一である。すなわち、開放判定部１４ｂは、端子ＶIN1およびＶIN2で受信される正出力端子Ｑおよび負出力端子Ｑ’の出力信号の組み合わせに応じて扉開放の有無を判定する。さらに、コネクタ２，３に代えて、コネクタ１２，１３が設けられている。コネクタ１２，１３は、コネクタ２，３が４端子であったのに対して、新たに負出力端子Ｑ’からの出力信号線を含めた５端子となっている。
【００８０】
次に、図６のフローチャートを参照して、図５の扉開放検出部１１を備えた遊技機による扉開放検出処理について説明する。尚、図５のステップＳ２１乃至Ｓ２５，Ｓ２７，Ｓ２８の処理については、図２のステップＳ１乃至Ｓ５，Ｓ７，Ｓ８の処理と同様であるので、その説明は省略する。
【００８１】
ステップＳ２６において、制御部１４は、開放判定部１４ｂを制御して、端子ＶIN1，ＶIN2に入力される扉開放検出部１１からの開放検出信号を受信させると共に、受信した開放検出信号が電源ＯＦＦの後に、扉が開放されたことが検出され、ステップＳ２４の処理でフリップフロップ回路ＦＦ１に記憶されている信号、すなわち、扉開放が検出されたことを示す信号であるか否かを判定する。
【００８２】
ステップＳ２６において、例えば、端子ＶIN1に入力される扉開放検出部１１の正出力端子Ｑからの開放検出信号がＬｏｗであって、端子ＶIN2に入力される扉開放検出部１１の負出力端子Ｑ’からの開放検出信号がＨｉであれば、フリップフロップ回路ＦＦ１が、Ｌｏｗの信号、すなわち、扉が開放されたことを示す情報を記憶していることになる。そこで、開放判定部１４ｂは、扉開放が検出されたことを示す扉開放信号であるとみなし、処理は、ステップＳ２７に進む。
【００８３】
一方、ステップＳ２６において、扉開放が検出されなかったことを示す扉非開放信号である場合、ステップＳ２９において、例えば、フリップフロップ回路ＦＦ１には、電源ＯＦＦ直後になされたステップＳ２２の処理によりＨｉの信号が記憶されており、端子ＶIN1に出力される扉開放検出部１１の正出力端子Ｑからの開放検出信号がＨｉのままであって、端子ＶIN2に出力される扉開放検出部１１の負出力端子Ｑ’からの開放検出信号がＬｏｗである場合、フリップフロップ回路ＦＦ１からの信号が、電源ＯＦＦ直後になされたステップＳ２２の処理でフリップフロップ回路ＦＦ１に記憶されている信号であるので、開放判定部１４ｂは、扉開放が検出されなかったことを示す扉非開放信号であるとみなし、処理は、ステップＳ２１に戻る。
【００８４】
さらに、ステップＳ２９において、端子ＶIN1に入力される扉開放検出部１１の正出力端子Ｑからの開放検出信号がＬｏｗであって、端子ＶIN2に入力される扉開放検出部１の負出力端子Ｑ’からの開放検出信号がＬｏｗである場合、開放判定部１４ｂは、発報部７を制御して、断線異常の発生、または、不正行為による機器破壊が発生しているものとみなし、ステップＳ３０において、断線異常の発生、または、不正行為による機器破壊が発生していることを発報させ、処理は、ステップＳ２８に進む。
【００８５】
これらのことを纏めると図７で示される関係となる。すなわち、端子ＶIN1にＨｉが、端子ＶIN2にＬｏｗが、それぞれ入力された場合、電源ＯＦＦ直後になされたステップＳ２２の処理でフリップフロップ回路ＦＦ１に記憶されている信号であるので、開放判定部１４ｂは、遊技機電源部５からの給電が停止した後に不正な扉開放が検出されなかった、すなわち、異常がなかったものとみなす。また、端子ＶIN1にＬｏｗが、端子ＶIN2にＨｉが、それぞれ入力された場合、電源ＯＦＦ直後になされたステップＳ２４の処理でフリップフロップ回路ＦＦ１が更新された信号であり、開放判定部１４ｂは、遊技機電源部５からの電力供給が停止した後に不正な扉開放が検出された、すなわち、異常があったものとみなし、発報部７に発報させる。さらに、端子ＶIN1および端子ＶIN2の両方にＬｏｗが入力された場合、開放判定部１４ｂは、扉開放検出部１１に断線異常や不正行為による機器破壊などがあったものとみなし、発報部７に発報させる。
【００８６】
尚、ステップＳ２９において、端子ＶIN1および端子ＶIN2にいずれもＨｉが入力されるという組み合わせも考えられるが、フリップフロップ回路ＦＦ１と制御部４の間に何らかの信号を発生させるものがあるか、いずれも正出力端子Ｑからの信号が接続されるといった誤接続がない限り、そのような組み合わせでの出力は考えられないので、ここでは、例としてあげていない。しかしながら、仮に、そのような組み合わせの信号が入力されていたとすると、何らかの信号を発生させるものが不正に取り付けられたり、配線ミスであることになるので、いずれもＬｏｗであった場合と同様の処理により対応することができる。
【００８７】
以上によれば、フリップフロップ回路ＦＦ１からの正出力端子Ｑおよび負出力端子Ｑ’のそれぞれ正負が対となる信号を用いて扉開放が検出されたか否かを判定するようにしたので、より正確に扉の開放を検出することが可能となる。また、相互の信号の正負の関係から、断線異常や不正行為による機器破壊を検出することが可能となる。
【００８８】
以上の例においては、遊技機電源部５からの電力供給が停止する直前に、制御部４のリセット端子ＲＥＳよりフリップフロップ回路ＦＦ１のプリセット端子ＰＲＥにリセット信号を入力することで、フリップフロップ回路ＦＦ１にＨｉの信号を記憶させることにより、監視状態に移行し、不正に遊技機の正面扉が開放され、扉開放が検出されると、フリップフロップ回路ＦＦ１がＬｏｗを記憶するようにしたが、不正行為により遊技機の正面扉が開放された後、コネクタ２（または１２）がコネクタ３（または１３）から引き出されて、コネクタ２から直接リセット信号が入力されると、フリップフロップ回路ＦＦ１は、再びＨｉの信号を記憶することとなってしまい、不正な扉開放を検出した痕跡が消されてしまう恐れがある。
【００８９】
そこで、リセット信号を複数の信号からなるパターンとすることにより不正行為を行った者が、フリップフロップ回路ＦＦ１の状態を容易にリセットできないようにしても良い。
【００９０】
図８は、リセット信号を複数の信号からなるパターンとすることにより不正行為を行った者が、フリップフロップ回路ＦＦ１を容易にリセットできないようにした扉開放検出部２１を含む遊技機の構成例を示している。尚、図８においては、図１と同一の機能を備えた構成については、同一の符号を付しており、その説明は適宜省略するものとする。
【００９１】
すなわち、図８の扉開放検出部２１においては、リセット制御部３１が新たに設けられ、制御部４に代えて制御部２４が設けられている。制御部２４は、リセット管理部２４ａおよび開放判定部２４ｂを備えており、リセット管理部２４ａの機能を除いては制御部４と同一である。すなわち、リセット管理部２４ａは、端子Ｖ11乃至Ｖ14からの４ビットのリセット信号を扉開放検出部２１に入力する。また、コネクタ２，３に代えて、コネクタ２２，２３が設けられている。コネクタ２２，２３は、コネクタ２，３が４端子であったのに対して、新たにリセット端子ＲＥＳに代えて端子Ｖ11乃至Ｖ14が設けられているため、７端子となっている。
【００９２】
リセット制御部３１は、リセット管理部２４ａにより端子Ｖ11乃至Ｖ14から入力される４ビットのリセット信号のパターンが、予め設定されている所定のパターンであるとき、フリップフロップ回路ＦＦ１のプリセット端子ＰＲＥにリセット信号を入力する。
【００９３】
リセット制御部３１は、アンド回路ＡＮＤ１およびインバータ回路ＩＮＶ１より構成されている。インバータ回路ＩＮＶ１は、図中の下から２段目に設けられており、入力信号に対して反転信号を出力する。すなわち、インバータ回路ＩＮＶ１は、Ｈｉが入力されるとＬｏｗを出力し、逆に、Ｌｏｗが入力されるとＨｉを出力する。アンド回路ＡＮＤ１は、端子Ｖ11，Ｖ12，Ｖ14およびインバータ回路ＩＮＶ１からの信号が全てＨｉであるとき、フリップフロップ回路ＦＦ１のプリセット端子ＰＲＥにリセット信号を出力する。
【００９４】
次に、図９のフローチャートを参照して、図８の扉開放検出部２１を備えた遊技機による扉開放検出処理について説明する。尚、図９のフローチャートにおけるステップＳ４１，Ｓ４４乃至Ｓ４９の処理は、図１のフローチャートにおけるステップＳ１，Ｓ３乃至Ｓ８の処理と同様であるので、その説明は省略する。
【００９５】
すなわち、ステップＳ４２において、リセット制御部３１は、制御部２４の端子Ｖ11乃至Ｖ14より正規のパターンのリセット信号が入力されたか否かを判定し、正しいリセット信号が入力されるまで、同様の処理を繰り返す。
【００９６】
すなわち、端子Ｖ11乃至Ｖ14より出力される４ビットのリセット信号のパターンは、図１０で示されるように、左から（Ｖ11，Ｖ12，Ｖ13，Ｖ14）＝（Ｈｉ，Ｈｉ，Ｈｉ，Ｈｉ），（Ｈｉ，Ｈｉ，Ｈｉ，Ｌｏｗ），（Ｈｉ，Ｈｉ，Ｌｏｗ，Ｈｉ），（Ｈｉ，Ｈｉ，Ｌｏｗ，Ｌｏｗ），（Ｈｉ，Ｌｏｗ，Ｈｉ，Ｈｉ），（Ｈｉ，Ｌｏｗ，Ｈｉ，Ｌｏｗ），（Ｈｉ，Ｌｏｗ，Ｌｏｗ，Ｈｉ），（Ｈｉ，Ｌｏｗ，Ｌｏｗ，Ｌｏｗ），（Ｌｏｗ，Ｈｉ，Ｈｉ，Ｈｉ），（Ｌｏｗ，Ｈｉ，Ｈｉ，Ｌｏｗ），（Ｌｏｗ，Ｈｉ，Ｌｏｗ，Ｈｉ），（Ｌｏｗ，Ｈｉ，Ｌｏｗ，Ｌｏｗ），（Ｌｏｗ，Ｌｏｗ，Ｈｉ，Ｈｉ），（Ｌｏｗ，Ｌｏｗ，Ｈｉ，Ｌｏｗ），（Ｌｏｗ，Ｌｏｗ，Ｌｏｗ，Ｈｉ），（Ｌｏｗ，Ｌｏｗ，Ｌｏｗ，Ｌｏｗ）の１６種類となる。
【００９７】
図８の場合、端子Ｖ13の出力に対してインバータ回路ＩＮＶ１が接続されているので、図８のパターン３で示される端子Ｖ13の出力がＬｏｗで、かつ、その他の端子がＨｉであれば、アンド回路ＡＮＤ１には、４ビット全てがＨｉの信号が入力されることになるので、アンド回路ＡＮＤ１はＨｉの信号を出力する。従って、ステップＳ４２において、リセット制御部３１は、リセット信号が（Ｖ11，Ｖ12，Ｖ13，Ｖ14）＝（Ｈｉ，Ｈｉ，Ｌｏｗ，Ｈｉ）であるか否かにより正しいリセット信号であるか否かを判定する。そして、ステップＳ４２において、制御部２４が、リセット管理部２４ａを制御して、端子Ｖ11乃至Ｖ14から扉開放検出部２１に（Ｖ11，Ｖ12，Ｖ13，Ｖ14）＝（Ｈｉ，Ｈｉ，Ｌｏｗ，Ｈｉ）のリセット信号を出力させる場合、リセット制御部３１のアンド回路ＡＮＤ１は、端子Ｖ11，Ｖ12，Ｖ14およびインバータ回路ＩＮＶ１からの信号が全てＨｉとなるので、正しいリセット信号が入力されたものとみなし、ステップＳ４３において、フリップフロップ回路ＦＦ１のプリセット端子ＰＲＥにリセット信号を出力する。
【００９８】
以上の処理により仮に不正行為により遊技機の正面扉が開放された後、コネクタ２２がコネクタ２３から引き出されて、コネクタ２２から直接リセット信号を入力するようにしても、４ビットのリセット信号のパターンを正しいパターンで入力していない限り、リセット制御部３１がプリセット端子ＰＲＥにＨｉの信号を入力することができないので、不正行為により遊技機の正面扉が開放された痕跡を消去されることなく残すことが可能となる。
【００９９】
尚、以上においては、リセット制御部３１を構成するにあたりアンド回路ＡＮＤ１とインバータ回路ＩＮＶ１とを使用する例について説明してきたが、例えば、図１１で示されるように、さらに、インバータ回路ＩＮＶ２を設けるようにすることで、他のパターンのリセット信号を生成することが可能となる。すなわち、図１１においては、制御部４のリセット管理部２４ａが、（Ｖ11，Ｖ12，Ｖ13，Ｖ14）＝（Ｌｏｗ，Ｈｉ，Ｌｏｗ，Ｈｉ）の４ビットのリセット信号を出力することで、アンド回路ＡＮＤ１は、リセット信号をプリセット端子ＰＲＥに出力する。当然のことながら、インバータ回路の数は、これ以外の数でも、また、その他の線に接続するようにしても良い。
【０１００】
また、インバータ回路でリセット信号のパターンを生成する例について説明してきたが、複数の信号からなるリセット信号のパターンが構成できるものであればよく、例えば、図１２で示されるように、Ｄ型フリップフロップ回路ＦＦ１１乃至ＦＦ１３を利用したリセット制御部５１でもよい。図１２のリセット制御部５１においては、フリップフロップ回路ＦＦ１１の正出力端子Ｑと、フリップフロップ回路ＦＦ１２のデータ入力端子Ｄとが接続され、フリップフロップ回路ＦＦ１２の正出力端子Ｑと、フリップフロップ回路ＦＦ１３のデータ入力端子Ｄとが接続され、フリップフロップ回路ＦＦ１１乃至ＦＦ１３のクロック信号入力端子ＣＫにそれぞれ図示せぬクロック信号発生装置が接続され、フリップフロップ回路ＦＦ１１の負出力端子Ｑ’、フリップフロップ回路ＦＦ１２の正出力端子Ｑ、およびフリップフロップ回路ＦＦ１３の負出力端子Ｑ’がそれぞれアンド回路ＡＮＤ１の入力端子に接続されている。このような構成により、図示せぬクロック信号発生装置がクロック信号を発生し、フリップフロップ回路ＦＦ１１のクロック信号入力端子ＣＫに対して入力されるクロック信号の立ち下がりのタイミングに同期して、データ入力端子ＤにＬｏｗ，Ｈｉ，Ｌｏｗの順序でデータが入力されることにより、フリップフロップ回路ＦＦ１１の負出力端子Ｑ’、フリップフロップ回路ＦＦ１２の正出力端子Ｑ、およびフリップフロップ回路ＦＦ１３の負出力端子Ｑ’からそれぞれＨｉの信号が出力されることにより、アンド回路ＡＮＤ１は、プリセット端子ＰＲＥにＨｉのリセット信号を出力する。当然のことながら、フリップフロップ回路の数はその他の数であっても良いし、アンド回路ＡＮＤ１に接続される正出力端子Ｑおよび負出力端子Ｑ’の組み合わせを変えるようにしても良い。
【０１０１】
さらに、アンド回路以外の回路を使用するようにしてもよく、例えば、図１３で示されるように、マルチプレクサ６２を利用したリセット制御部６１であってもよい。マルチプレクサ６２は、３ビットのリセット信号を受け付ける入力端子ＩＮ１乃至ＩＮ３、入力端子ＩＮ１乃至ＩＮ３の入力パターンにより指定される入力端子Ａ１乃至Ａ８のいずれかの信号を出力する出力端子ＯＵＴから構成されている。今の場合、入力端子Ａ４の入力信号は電源に接続されているのでＨｉであるが、それ以外の入力端子Ａ１乃至Ａ３，Ａ５乃至Ａ８は、接地されておりＬｏｗである。したがって、入力端子の番号に対応して、３ビットのリセット信号が（Ｖ11，Ｖ12，Ｖ13）＝（Ｌｏｗ，Ｈｉ，Ｈｉ）（＝０１１（２進数）＝４（１０進数））である場合、入力端子Ａ４のＨｉの信号が出力端子ＯＵＴより出力されるので、プリセット端子ＰＲＥにリセット信号が入力されることになる。
【０１０２】
また、使用するビット数は３ビット、および４ビットのみならず、それ以外のビット数であっても良い。
【０１０３】
以上においてはアンド回路やマルチプレクサなどによりプリセット端子へのリセット信号の入力を制限することで、フリップフロップ回路ＦＦ１に保持されている信号を、扉の開放が検出されていない状態に戻せないようにする例について説明してきたが、遊技機電源部５からの電力供給が停止している間、フリップフロップ回路ＦＦ１がコネクタ２，１２，２２からの入力を受け付けない構成とすることで、フリップフロップ回路ＦＦ１に保持されている信号を消去されないようにしてもよい。
【０１０４】
図１４は、遊技機電源部５からの電力供給が停止している間、フリップフロップ回路ＦＦ１がコネクタ７２からの入力を受け付けないようにした扉開放検出部７１を備えた遊技機の構成例を示している。尚、図１４において、図１と同一の機能を備えた構成については、同一の符号を付しており、その説明は適宜省略するものとする。
【０１０５】
図１４の扉開放検出部７１において、図１の扉開放検出部１と異なるのは、ダイオードＤ２に代えてＰＮＰ型のトランジスタＴｒ１が設けられ、リセット信号線および開放検出信号線において、それぞれアナログスイッチから構成されるスイッチＳＷ１１，ＳＷ１２が設けられ、さらに、フリップフロップ回路ＦＦ１のプリセット端子ＰＲＥと接地ＧＮＤとが抵抗Ｒ２で接続されている点である。
【０１０６】
トランジスタＴｒ１のエミッタは、遊技機電源部５に接続されている。また、トランジスタＴｒ１のコレクタは、抵抗Ｒ２およびスイッチＳＷ１１，ＳＷ１２の制御信号端子Ｃｔｒｌに接続されている。さらに、トランジスタＴｒ１のベースは、フリップフロップ回路ＦＦ１の電源端子Ｖｃｃに接続されている。トランジスタＴｒ１は、遊技機電源部５からの電力供給が停止したとき、ダイオードＤ２と同様に逆流防止機能を備えている。スイッチＳＷ１１，ＳＷ１２は、トランジスタＴｒ１のコレクタからの制御信号によりＯＮされ、電力供給が停止するとＯＦＦする。さらに、トランジスタＴｒ１は、遊技機電源部５からの電力供給が停止したとき、エミッタへの電力供給が停止することから、コレクタからスイッチＳＷ１１，ＳＷ１２に対しての各制御信号端子ＣＯＮＴの電位がＬｏｗとなり、スイッチＳＷ１１，ＳＷ１２はＯＦＦする。このため、フリップフロップ回路ＦＦ１が補助電源Ｖ0で駆動するとき、スイッチＳＷ１１，ＳＷ１２はＯＦＦの状態となる。
【０１０７】
尚、抵抗Ｒ１１が新たに設けられ、一方の端部がプリセット端子ＰＲＥおよびスイッチＳＷ１１に接続され、他方の端部が接地されているが、スイッチＳＷ１１がＯＦＦになった場合における電位の不定を解消させるものである。
【０１０８】
次に、図１５のフローチャートを参照して、図１４の扉開放検出部７１を備えた遊技機による扉開放検出処理について説明する。尚、図１５のフローチャートにおけるステップＳ６１，Ｓ６２，Ｓ６５乃至Ｓ６７，Ｓ７０乃至Ｓ７２は、図２のフローチャートにおけるステップＳ１乃至Ｓ８と同様であるので、その説明は省略するものとする。
【０１０９】
すなわち、ステップＳ６１において、図１６の最上段の波形図で示されるように、時刻ｔ１において、スイッチＳＷ２がＯＦＦにされることにより、遊技機電源部５より出力される電圧Ｖ5が、所定の閾値Ｖｔｈよりも小さくなり、スイッチＳＷ２がＯＦＦにされたことが認識されると、ステップＳ６２において、制御部４は、リセット管理部４ａを制御して、リセット端子ＲＥＳより扉開放検出部７１に対して、図１６の２段目の波形図における時刻ｔ２で示されるように、プリセット端子ＰＲＥに印加電圧Ｖ22のパルス状のリセット信号を入力する。
【０１１０】
ステップＳ６３において、遊技機電源部５より出力される電圧Ｖ5が、さらに降下すると、図１６の２段目の波形図の時刻ｔ３で示されるように、トランジスタＴｒ１がＯＦＦにされるため、トランジスタＴｒ１のコレクタの電圧である電圧Ｖ21が、Ｌｏｗとなり、フリップフロップ回路ＦＦ１が補助電源Ｖ0で駆動する状態に切り替わる。
【０１１１】
尚、図１６においては、最上段の波形図が遊技機電源部５より出力される電源電圧Ｖ5を、２段目の波形図が、トランジスタＴｒ１のコレクタの電圧Ｖ21およびスイッチＳＷ１１の出力端子側の電圧Ｖ22を、３段目の波形図がフリップフロップ回路ＦＦ１のクロック信号入力端子ＣＫの入力電圧Ｖ3を、４段目の波形図がフリップフロップ回路ＦＦ１の正出力端子Ｑの出力電圧Ｖ4を、５段目の波形図がスイッチＳＷ１２の出力端子側の電圧Ｖ23をそれぞれ示している。
【０１１２】
ステップＳ６４において、電圧Ｖ21がＬｏｗとなったため、リセット信号線および開放検出信号線のそれぞれに設けられたスイッチＳＷ１１，ＳＷ１２は、ＯＦＦ（Ｏｐｅｎ）状態となる。
【０１１３】
また、ステップＳ６７において、スイッチＳＷ２がＯＮにされると、遊技機電源部５が電力の供給を開始し、電圧Ｖ5が所定の閾値Ｖｔｈを超えると電源がＯＮにされたと認識されて、処理は、ステップＳ６８に進む。
【０１１４】
ステップＳ６８において、トランジスタＴｒ１がＯＮにされるため、図１６の２段目の波形図で示されるように、トランジスタＴｒ１のコレクタの電圧である電圧Ｖ21が上昇を開始し、時刻ｔ４においてフリップフロップ回路ＦＦ１が遊技機電源部５で駆動する状態に切り替わる。
【０１１５】
ステップＳ６９において、電圧Ｖ21がＨｉとなったため、リセット信号線および開放検出信号線のそれぞれに設けられたスイッチＳＷ１１，ＳＷ１２は、ＯＮ（Ｃｌｏｓｅ）状態となる。
【０１１６】
このため、図１６の３段目の波形図で示されるように、遊技機の正面扉の開放が検出されなかった場合、４，５段目の波形図で示されるように、時刻ｔ４において、スイッチＳＷ１２の出力端子側の電圧Ｖ23は、フリップフロップ回路ＦＦ１の正出力端子Ｑの出力電圧Ｖ4と同一のＨｉとなる。
【０１１７】
一方、図１７の３段目の波形図で示されるように、時刻ｔ５において遊技機の正面扉の開放が検出された場合、４段目の波形図で示されるように、フリップフロップ回路ＦＦ１の正出力端子Ｑの出力電圧Ｖ4がＬｏｗとなるので、４，５段目の波形図で示されるように、時刻ｔ４において、スイッチＳＷ１２の出力端子側の電圧Ｖ23は、フリップフロップ回路ＦＦ１の正出力端子Ｑの出力電圧Ｖ4と同一のＬｏｗとなる。
【０１１８】
尚、図１７においては、図１６における各段の波形図と同様の波形図を示しているが、時刻ｔ５において正面扉の開放が検出された場合の波形が示されている。
【０１１９】
以上のように、遊技機電源部５からの電力供給がなくなり、遊技機の正面扉の扉開放検出の監視状態となったとき、スイッチＳＷ１１，ＳＷ１２はＯＦＦの状態となるので、コネクタ７２より直接リセット信号が入力されても、フリップフロップ回路ＦＦ１のプリセット端子ＰＲＥには入力されることがないため、フリップフロップ回路ＦＦ１で保持された状態を変更するといった不正を抑制することが可能となる。
【０１２０】
以上においては、アナログスイッチにより遊技機電源部５からの電力供給が停止している間、フリップフロップ回路ＦＦ１がコネクタ７２からの入力を受け付けないようにする例について説明してきたが、アナログスイッチ以外の手法により、遊技機電源部５からの電力供給が停止している間、フリップフロップ回路ＦＦ１がコネクタ７２からの入力を受け付けないように構成してもよい。
【０１２１】
図１８は、遊技機電源部５からの電力供給が停止している間、アナログスイッチを用いずにフリップフロップ回路ＦＦ１がコネクタ７２からの入力を受け付けないようにした扉開放検出部８１を備えた遊技機の構成例を示している。尚、図１８において、図１または図１４と同一の機能を備えた構成については、同一の符号を付しており、その説明は適宜省略するものとする。
【０１２２】
図１８の扉開放検出部８１において、図１４の扉開放検出部７１と異なるのは、アナログスイッチからなるスイッチＳＷ１１，ＳＷ１２、およびトランジスタＴｒ１に代えてダイオードＤ２，Ｄ１１，Ｄ１２、ＮＰＮ型トランジスタＴｒ１１，Ｔｒ１３、ＰＮＰ型のトランジスタＴｒ１２、および抵抗Ｒ２１乃至Ｒ２５，Ｒ３１が設けられている点である。
【０１２３】
ダイオードＤ１１のカソードは、フリップフロップ回路ＦＦ１の負出力端子Ｑ’に接続されており、アノードは、抵抗Ｒ２１の他方の端部およびダイオードＤ１２のアノードに接続されている。ダイオードＤ１２のアノードは、抵抗Ｒ２１の他方の端部およびダイオードＤ１１のアノードに接続されている。ダイオードＤ１２のカソードは、トランジスタＴｒ１１のベースおよび抵抗Ｒ２２の一方の端部に接続されている。
【０１２４】
トランジスタＴｒ１１のベースは、ダイオードＤ１２のカソード、および抵抗Ｒ２の一方の端部に接続されている。トランジスタＴｒ１１のエミッタは接地されている。トランジスタＴｒ１１のコレクタはコネクタ７２，７３を介して、抵抗Ｒ３１の他方の端部および制御部４の端子ＶINに接続されている。
【０１２５】
トランジスタＴｒ１２のエミッタは、遊技機電源部５に接続されている。また、トランジスタＴｒ１２のコレクタは、抵抗Ｒ２３およびフリップフロップ回路ＦＦ１のプリセット端子ＰＲＥに接続されている。さらに、トランジスタＴｒ１２のベースは、抵抗Ｒ２４の一方の端部に接続されている。
【０１２６】
トランジスタＴｒ１３のコレクタは、抵抗Ｒ２４の他方の端部に接続されている。また、トランジスタＴｒ１３のエミッタは、接地されている。さらに、トランジスタＴｒ１３のベースは、抵抗Ｒ２５の他方の端部に接続されている。
【０１２７】
抵抗Ｒ２１の一方の端部は遊技機電源部５に接続されており、他方の端部はダイオードＤ１１，Ｄ１２のアノードに接続されている。抵抗Ｒ２２の一方の端部はダイオードＤ１２のカソードおよびトランジスタＴｒ１１のベースに接続され、他方の端部は接地されている。抵抗Ｒ２３の一方の端部はトランジスタＴｒ１２のコレクタおよびフリップフロップ回路ＦＦ１のプリセット端子ＰＲＥに接続されている。抵抗Ｒ２４の一方の端部はトランジスタＴｒ１２のベースに接続され、他方の端部はトランジスタＴｒ１３のコレクタに接続されている。抵抗Ｒ２５の一方の端部はコネクタ７２，７３を介して制御部４のリセット端子ＲＥＳに接続され、他方の端部はトランジスタＴｒ１３のベースに接続されている。抵抗Ｒ３１の一方の端部は遊技機電源部５に接続され、他方の端部はトランジスタＴｒ１１のコレクタおよび制御部４の端子ＶINに接続されている。抵抗Ｒ２１乃至Ｒ２５，Ｒ３１は、いずれも電圧調整用に用いられる抵抗である。
【０１２８】
次に、図１９のフローチャートを参照して、図１８の扉開放検出部８１を備えた遊技機による扉開放検出処理について説明する。尚、図１９のフローチャートにおけるステップＳ８１，Ｓ８６乃至Ｓ８８，Ｓ９２乃至Ｓ９４は、図２のフローチャートにおけるステップＳ１，Ｓ３乃至Ｓ８と同様であるので、その説明は省略するものとする。
【０１２９】
すなわち、ステップＳ８１において、スイッチＳＷ２がＯＦＦにされることにより、遊技機電源部５より出力される電圧Ｖ5が、所定の閾値Ｖｔｈよりも小さくなり、スイッチＳＷ２がＯＦＦにされたことが認識されると、ステップＳ８２において、制御部４は、リセット管理部４ａを制御して、リセット端子ＲＥＳより扉開放検出部８１に対して、パルス状のリセット信号を出力させる。
【０１３０】
ステップＳ８３において、抵抗Ｒ２５を介して入力されるリセット信号がトランジスタＴｒ１３のベースに電流を発生させることにより、トランジスタＴｒ１３がＯＮにされる。また、トランジスタＴｒ１３がＯＮにされることにより、抵抗Ｒ２４を介してトランジスタＴｒ１２のベースに電流を発生させることによりトランジスタＴｒ１２がＯＮにされる。
【０１３１】
ステップＳ８４において、トランジスタＴｒ１２，Ｔｒ１３がＯＮの状態となっているので、遊技機電源部５より供給される電力によりフリップフロップ回路ＦＦ１のプリセット端子ＰＲＥに抵抗Ｒ２３により調整された電圧Ｖ2が印加されることにより、フリップフロップ回路ＦＦ１は、強制的にＬｏｗからＨｉに切り替えて、正常データを記憶して正出力端子Ｑおよび負出力端子Ｑ’より出力する。
【０１３２】
ステップＳ８５において、トランジスタＴｒ１２，Ｔｒ１３は、ＯＦＦの状態となる。すなわち、リセット端子ＲＥＳより出力されるのは、パルス状のリセット信号であるので、リセット信号の送出が終了した後は、トランジスタＴｒ１３のベースには電流が発生しないので、トランジスタＴｒ１３は、ＯＦＦとなり、さらに、トランジスタＴｒ１３がＯＦＦとなることにより、トランジスタＴｒ１２のベースにも電流が発生しないので、トランジスタＴｒ１２もＯＦＦとなる。このため、遊技機電源部５より電力供給がなされている状況においては、リセット信号が入力されるタイミングでのみ、フリップフロップ回路ＦＦ１のプリセット端子ＰＲＥに入力される。また、電力供給が途絶え、Ｖ5が接地電位に落ちると、Ｔｒ１２がＯＮになることはなく、例えば不正行為によりコネクタ７２，７３が外され、外部から強制的にＲ２５を介してＴｒ１３のベースに電位を印加されても、Ｔｒ１２のコレクタにて回路は切断されており、フリップフロップ回路ＦＦ１のプリセット端子ＰＲＥにＨｉの信号が入力されることはなく、開放が検出された痕跡が不正に消去されない。
【０１３３】
また、ステップＳ８８において、スイッチＳＷ２がＯＮにされると、遊技機電源部５が電力の供給を開始し、電圧Ｖ5が所定の閾値Ｖｔｈを超えると電源がＯＮにされたと制御部４が認識し、処理は、ステップＳ８９に進む。
【０１３４】
ステップＳ８９において、フリップフロップ回路ＦＦ１がＨｉの状態を記憶しているか否かが判定される。すなわち、フリップフロップ回路ＦＦ１がＨｉの状態を記憶しているか、または、Ｌｏｗの状態を記憶しているかにより動作が異なる。
【０１３５】
ステップＳ８９において、フリップフロップ回路ＦＦ１がＨｉの状態を記憶している場合、すなわち、扉の開放が検出されなかった場合、ステップＳ９０において、負出力端子Ｑ’よりＬｏｗの信号が出力される。このため、遊技機電源部５より供給される電力は、ダイオードＤ１１を介して負出力端子Ｑ’に引き込まれることにより、ダイオードＤ１２を介してトランジスタＴｒ１１のベースに供給されないので、トランジスタＴｒ１１はＯＦＦの状態となり、制御部４の端子ＶINには、Ｈｉの信号が入力される。結果として、ステップＳ９２において、扉の開放が検出されないことを示す扉非開放信号に基づいて、処理はステップＳ８１に戻る。
【０１３６】
一方、ステップＳ８９において、フリップフロップ回路ＦＦ１がＬｏｗの状態を記憶している場合、すなわち、扉の開放が検出された場合、ステップＳ９１において、負出力端子Ｑ’よりＨｉの信号が出力される。このため、遊技機電源部５より供給される電力は、ダイオードＤ１２を介してトランジスタＴｒ１１のベースに供給されることになるので、トランジスタＴｒ１１はＯＮの状態となり、制御部４の端子ＶINには、接地電位であるＬｏｗの信号が入力される。結果として、ステップＳ９２において、扉の開放が検出されたことを示す扉開放信号に基づいて、処理はステップＳ９３，Ｓ９４において発報処理が実行される。
【０１３７】
なお、遊技機電源部５からの電力供給が途切れると、抵抗Ｒ２１から電流が流入しないため、フリップフロップＦＦ１の負出力端子Ｑ’の状態に関わらずトランジスタＴｒ１１はＯＦＦ状態となり、トランジスタＴｒ１１のコレクタは開放状態となる。トランジスタＴｒ１１のコレクタが開放状態となるため、制御部４の端子ＶINとフリップフロップ回路ＦＦ１の負出力端Ｑ’は電気的に切断される。
【０１３８】
すなわち、ダイオードとトランジスタとを組み合わせるようにすることで、アナログスイッチを利用した場合と同様に、リセット信号線および出力信号線のＯＮまたはＯＦＦ（回路上の接続または切断）を実現することが可能となる。結果として、遊技機電源部５からの電源供給が停止されている状態での扉の開放を検出させることが可能になると共に、コネクタ７２が引き出されて直接リセット信号が入力されても、フリップフロップ回路ＦＦ１の状態を維持することが可能となるので、コネクタ７２から直接リセット信号が入力されることによる不正を防止することが可能となる。
【０１３９】
尚、図１８の扉開放検出部８１を備えた遊技機による扉開放検出処理時の電位変化は、図１４の扉開放検出部７１を備えた遊技機による場合と同様であるので、その説明は省略する。
【０１４０】
以上によれば、安価な構成の装置により、確実に扉の開放を検出することが可能となる。
【０１４１】
尚、本明細書において、処理を記述するステップは、記載された順序に沿って時系列的に行われる処理は、もちろん、必ずしも時系列的に処理されなくとも、並列的あるいは個別に実行される処理を含むものである。
【図面の簡単な説明】
【０１４２】
【図１】本発明を適用した扉開放検出部を備えた遊技機の一実施の形態の構成例を示す図である。
【図２】図１の扉開放検出部を備えた遊技機による扉開放検出処理を説明するフローチャートである。
【図３】図１の扉開放検出部を備えた遊技機による扉開放検出処理を説明する図である。
【図４】図１の扉開放検出部を備えた遊技機による扉開放検出処理を説明する図である。
【図５】その他の扉開放検出部を備えた遊技機の実施の形態の構成例を示す図である。
【図６】図５の扉開放検出部を備えた遊技機による扉開放検出処理を説明するフローチャートである。
【図７】図５の扉開放検出部を備えた遊技機による扉開放検出処理を説明する図である。
【図８】さらにその他の扉開放検出部を備えた遊技機の実施の形態の構成例を示す図である。
【図９】図８の扉開放検出部を備えた遊技機による扉開放検出処理を説明するフローチャートである。
【図１０】図８の扉開放検出部を備えた遊技機による扉開放検出処理を説明する図である。
【図１１】リセット制御部のその他の構成例を説明する図である。
【図１２】リセット制御部のさらにその他の構成例を説明する図である。
【図１３】リセット制御部のさらにその他の構成例を説明する図である。
【図１４】さらにその他の扉開放検出部を備えた遊技機の実施の形態の構成例を示す図である。
【図１５】図１４の扉開放検出部を備えた遊技機による扉開放検出処理を説明するフローチャートである。
【図１６】図１４の扉開放検出部を備えた遊技機による扉開放検出処理を説明する図である。
【図１７】図１４の扉開放検出部を備えた遊技機による扉開放検出処理を説明する図である。
【図１８】さらにその他の扉開放検出部を備えた遊技機の実施の形態の構成例を示す図である。
【図１９】図１８の扉開放検出部を備えた遊技機による扉開放検出処理を説明するフローチャートである。
【符号の説明】
【０１４３】
１  扉開放検出部
４  制御部
４ａ  リセット管理部
４ｂ  開放判定部
５  遊技機電源部
７  発報部
１１  扉開放検出部
１４  制御部
１４ａ  リセット管理部
１４ｂ  開放判定部
２１  扉開放検出部
２４  制御部
２４ａ  リセット管理部
２４ｂ  開放判定部
３１，４１，５１，６１  リセット制御部
７１  扉開放検出部
８１  扉開放検出部
【図１】
2008272190.tif 000003
【図２】
2008272190.tif 000004
【図３】
2008272190.tif 000005
【図４】
2008272190.tif 000006
【図５】
2008272190.tif 000007
【図６】
2008272190.tif 000008
【図７】
2008272190.tif 000009
【図８】
2008272190.tif 000010
【図９】
2008272190.tif 000011
【図１０】
2008272190.tif 000012
【図１１】
2008272190.tif 000013
【図１２】
2008272190.tif 000014
【図１３】
2008272190.tif 000015
【図１４】
2008272190.tif 000016
【図１５】
2008272190.tif 000017
【図１６】
2008272190.tif 000018
【図１７】
2008272190.tif 000019
【図１８】
2008272190.tif 000020
【図１９】
2008272190.tif 000021